(57)【要約】【課題】プリント基板を長方形にでき、歩留まりの向上、種類の削減、低コスト化、および省スペース化が図れるＬＥＤ照明ランプを得る。【解決手段】ＬＥＤ照明ランプ１は、正面から見た形状が台形状のケース２の両端部を接着により繋いで正六角形に構成されている。ケース２の内部にＬＥＤ４を実装したプリント基板５が収納されている。ＬＥＤ照明ランプ１は、照明装置本体に１２０°の間隔で取付けた保持金具３によって保持されている既存の丸形蛍光灯１０を取り外し、丸形蛍光灯１０に代えて保持金具３に取付けられる。【選択図】図１
2011142013.tif 000002
【特許請求の範囲】
【請求項１】
台形状の筒形ケースと、上記筒形ケースの内部に収納され、ＬＥＤを実装した長方形のプリント基板とを備え、上記筒形ケースを正六角形に構成したことを特徴とするＬＥＤ照明ランプ。
【請求項２】
上記筒形ケースを繋ぐ接続部材を備えたことを特徴とする請求項１に記載のＬＥＤ照明ランプ。
【請求項３】
上記接続部材の一部を長くして上記正六角形の大きさを所定の大きさに変化させることを特徴とする請求項２に記載のＬＥＤ照明ランプ。
【請求項４】
円柱形のケースと、上記円柱形ケースの内部に収納され、ＬＥＤを実装した長方形のプリント基板と、上記円柱形ケースを正六角形に構成する接続部材と、を備えたことを特徴とするＬＥＤ照明ランプ。
【請求項５】
円柱形のケースと、上記円柱形ケースの内部に収納され、ＬＥＤを実装した長方形のプリント基板と、上記円柱形ケースを直線状に構成する接続部材と、を備えたことを特徴とするＬＥＤ照明ランプ。
【発明の詳細な説明】
【技術分野】
【０００１】
この発明は、既存の照明装置の蛍光灯を、ＬＥＤ専用の装置に一式交換することなく、ＬＥＤを光源とした照明ランプに交換できるＬＥＤ照明ランプに関するものである。
【背景技術】
【０００２】
ＬＥＤ（発光ダイオード）を使用した従来のＬＥＤ照明ランプにおいて、丸形の場合には、丸形のプリント基板にＬＥＤを実装し、丸形のケース内に収納にしている（例えば、特許文献１参照）。また、直管の場合には、１本の円柱のケース内に１枚のプリント基板が実装されている（例えば、特許文献２参照）。
【先行技術文献】
【特許文献】
【０００３】
【特許文献１】特開２００８−７７８９９号公報（段落００３１、００３２、図５）
【特許文献２】実用新案登録第３１４２６５２号公報（段落０００２、図５）
【発明の概要】
【発明が解決しようとする課題】
【０００４】
従来の丸形のＬＥＤ照明ランプでは、プリント基板、およびプリント基板を収納するケースが丸形になっており、製作にあたって歩留まりが悪く、価格が高くなるという課題があった。また、直管のＬＥＤ照明ランプでは、プリント基板が１枚のために、蛍光灯のワット数が大きい場合にはサイズが大きくなり、製作し難く、取り扱い難い課題があった。
【０００５】
また、丸形、直管とも蛍光灯のワット数の違いにより、プリント基板、ケースの寸法違いを製作し、種類が多くなる欠点もあった。特に、丸形のＬＥＤ照明ランプはケースも丸形のため、保管スペースが必要であった。更に、丸形、直管それぞれ異なるプリント基板を製作する必要があった。
【０００６】
この発明は、上記課題を解決するためになされたもので、プリント基板を長方形にでき、歩留まりの向上、種類の削減、低コスト化、および省スペース化が図れるＬＥＤ照明ランプを得ることを目的とするものである。
【課題を解決するための手段】
【０００７】
この発明に係るＬＥＤ照明ランプは、台形状の筒形ケースと、上記筒形ケースの内部に収納され、ＬＥＤを実装した長方形のプリント基板とを備え、上記筒形ケースを正六角形に構成したものである。
【発明の効果】
【０００８】
この発明に係るＬＥＤ照明ランプによれば、分割したケースを六角形や直線状に構成することにより、プリント基板を長方形にでき、歩留まりの向上、種類の削減、低コスト化、および省スペース化を図ることができる。
【図面の簡単な説明】
【０００９】
【図１】この発明の実施の形態１に係るＬＥＤ照明ランプを説明する図である。
【図２】この発明の実施の形態１に係るＬＥＤ照明ランプのケース単体を示す正面図と側面図である。
【図３】この発明の実施の形態１に係るＬＥＤ照明ランプのＬＥＤを実装したプリント基板の正面図である。
【図４】既存の丸形蛍光灯を示す図である。
【図５】この発明の実施の形態２に係るＬＥＤ照明ランプの接続部材を示す正面図と側面図である。
【図６】この発明の実施の形態３に係るＬＥＤ照明ランプを説明する図である。
【図７】この発明の実施の形態３に係るＬＥＤ照明ランプの接続部材の正面図と側面図である。
【図８】この発明の実施の形態４に係るＬＥＤ照明ランプを説明する図である。
【図９】この発明の実施の形態４に係るＬＥＤ照明ランプのケース単体を示す正面図と側面図である。
【図１０】この発明の実施の形態４に係るＬＥＤ照明ランプの接続部材を示す図である。
【図１１】この発明の実施の形態５に係るＬＥＤ照明ランプを説明する図である。
【図１２】この発明の実施の形態５に係るＬＥＤ照明ランプの接続部材の正面図と側面図である。
【図１３】この発明の実施の形態５に係るＬＥＤ照明ランプの口金を示す図である。
【発明を実施するための形態】
【００１０】
以下、添付の図面を参照して、この発明に係るＬＥＤ照明ランプについて好適な実施の形態を説明する。なお、この実施の形態によりこの発明が限定されるものではなく、諸種の設計的変更をも包摂するものである。
【００１１】
実施の形態１．
図１〜図３は、この発明の実施の形態１に係るＬＥＤ照明ランプを説明する図である。図１に示すように、実施の形態１に係るＬＥＤ照明ランプ１は、正面から見た形状が台形状のケース２の両端部を接着により繋いで正六角形に構成されており、図示しない照明装置本体に１２０°の間隔で取付けた保持金具３によって保持されている。
【００１２】
図２（ａ）、（ｂ）は、台形状ケース２の単体を示す正面図と側面図で、図２（ｂ）に示すように、ケース２の内部にＬＥＤ４を実装したプリント基板５が収納されている。図３は、ＬＥＤ４を実装したプリント基板５の正面図である。
【００１３】
図４は、従来の丸形蛍光灯の照明装置を示し、丸形蛍光灯１０は、保持金具３によって保持されている。この保持金具３は、１２０°の間隔で照明装置本体（図示せず）に取付けられている。この既存の丸形蛍光灯１０をＬＥＤ照明ランプ１に交換する場合、先ず丸形蛍光灯１０を取り外す。すると、保持金具３が照明装置本体に残るので、その保持金具３に図１のＬＥＤ照明ランプ１を取付ける。ＬＥＤ照明ランプ１は正六角形を形成するように繋いで構成されているため、照明装置本体に１２０°に配置されて取付けられている保持金具３にフィットし、保持される。
【００１４】
以上のように、実施の形態１に係るＬＥＤ照明ランプ１は、既存の照明装置の丸形蛍光灯１０を、ＬＥＤ専用の装置に一式交換することなく、ＬＥＤ４を光源とした照明ランプに交換することが可能になり、また、プリント基板５を丸形から長方形にすることができ、製作にあたって歩留まりの改善、コスト低減が図れる。更に、プリント基板５、プリント基板５を収納するケース２を丸形から直線タイプにでき、保管の省スペース化も図ることができる。
【００１５】
実施の形態２.
次に、この発明の実施の形態２に係るＬＥＤ照明ランプについて説明する。実施の形態１では、台形状のケースの両端部を接着することにより繋いで正六角形に構成したＬＥＤ照明ランプについて説明したが、実施の形態２は、接続部材を用いて正六角形に構成したＬＥＤ照明ランプを説明するものである。
【００１６】
図５（ａ）、（ｂ）は、実施の形態２に係るＬＥＤ照明ランプの接続部材を示す正面図と側面図である。図５において、接続部材２０の先端２０ａは、台形状ケース２の内径に嵌合できるようになっている。なお、その他の構成については実施の形態１と同様であるので、図示並びに重複説明を省略する。
【００１７】
実施の形態１では台形状ケース２を接着により正六角形に繋いだが、実施の形態２においては、上記のように接続部材２０を用いて正六角形に構成する。このように構成することにより、実施の形態１と同様の効果が得られるとともに、一部のＬＥＤ４が破損した場合には接続部材２０を外して、破損した部分のみを交換することが可能となる。従って、保守性の向上を図ることができる。
【００１８】
実施の形態３．
次に、この発明の実施の形態３に係るＬＥＤ照明ランプについて説明する。図６、図７は、実施の形態３に係るＬＥＤ照明ランプ３０を示すものである。図６において、台形状ケース２は、実施の形態１あるいは実施の形態２と同じものである。
【００１９】
図７（ａ）、（ｂ）は、接続部材３１の正面図と側面図を示している。接続部材３１は、実施の形態２で説明した接続部材２０に比べて長さＡだけ長くなっている。例えば、２０ワットタイプの丸形蛍光灯は、管径が２９ｍｍ、蛍光灯の内径が１４７ｍｍであり、３０ワットタイプは、管径が２９ｍｍと同じで、内径が１６７ｍｍと２０ワットタイプに比べ２０ｍｍ大きくなっている。同様に他のワット数においても、管径が同じで、内径が異なっている。従って、内径の差分だけ接続部材３１を長くすれば、ワット数の異なる丸形蛍光灯へ対応が可能となる。例えば、２０ワットから３０ワットへの対応は、接続部材３１の長さＡを５．８ｍｍ程度にすれば可能である。他のワット数も同様に接続部材３１の長さＡを内径に合わせて変更すればよく、各種のワット数に対応が可能となる。
【００２０】
以上のように、実施の形態３に係るＬＥＤ照明ランプによれば、接続部材３１の一部を長くして上記正六角形の大きさを所定の大きさに変化させるので、実施の形態１あるいは実施の形態２と同様の効果が得られるとともに、ワット数への対応が容易にできる。
【００２１】
実施の形態４．
次に、この発明の実施の形態４に係るＬＥＤ照明ランプについて説明する。図８〜図１０は、実施の形態４に係るＬＥＤ照明ランプ４０を示すものである。実施の形態１ではケースは台形状であったが、実施の形態４は円柱形になっている。
【００２２】
図８において、円柱形ケース４１は接続部材４２により正六角形に繋がれている。図９（ａ）、（ｂ）は円柱形ケース４１の単体の正面図と側面図を示し、内部にＬＥＤ４を実装したプリント基板５が収納されている。図１０は接続部材４２を示し、接続部材４２の先端は円柱形ケース４１の内径に嵌合できるようになっている。また、ワット数により内径の異なる丸形蛍光灯に合わせて、接続部材４２の長さＡが異なるものを準備することにより、蛍光灯の各種ワット数に対応することが可能となる。
【００２３】
実施の形態５．
次に、この発明の実施の形態５に係るＬＥＤ照明ランプについて説明する。図１１〜図１３は、実施の形態５に係る直管ＬＥＤ照明ランプ５０を示すものである。図１１において、円柱形ケース４１は接続部材５１により直線状に繋がれている。なお、円柱形ケース４１は実施の形態４で説明した円柱形ケース４１と同様のものである。
【００２４】
図１２（ａ）、（ｂ）は、接続部材５１の正面図と側面図を示し、接続部材５１の先端は円柱形ケース４０の内径に嵌合できるようになっている。図１３は、直管ＬＥＤ照明ランプ５０の両サイドに設けられた口金５２で、ピン５３を備えている。ピン５３は既存の直管蛍光灯のピンと同じピッチ、大きさとして取付けの互換性を持たせている。
【００２５】
既存の直管の蛍光灯から直管ＬＥＤ照明ランプ５０に交換する場合、先ず直管の蛍光灯を取り外すと、ソケットが照明装置本体（図示せず）に残るので、そのソケットに図１１に示す直管ＬＥＤ照明ランプ５０のピン５３を挿入して取付ける。また、ワット数により長さの異なる直管の蛍光灯に合わせて、接続部材５１の長さＢが異なるものを準備することにより、蛍光灯の各種ワット数に対応することが可能となる。
【００２６】
以上のように、実施の形態５に係るＬＥＤ照明ランプによれば、既存の照明装置の直管蛍光灯を、ＬＥＤ専用の装置に一式交換することなく、ＬＥＤを光源とした照明ランプに交換することが可能になる。
【符号の説明】
【００２７】
１、３０、４０、５０  ＬＥＤ照明ランプ
２、４１  ケース
３  保持金具
４  ＬＥＤ
５  プリント基板
１０  丸形蛍光灯
２０、３１、４２、５１  接続部材
２０ａ  先端
５２  口金
５３  ピン
【図１】
2011142013.tif 000003
【図２】
2011142013.tif 000004
【図３】
2011142013.tif 000005
【図４】
2011142013.tif 000006
【図５】
2011142013.tif 000007
【図６】
2011142013.tif 000008
【図７】
2011142013.tif 000009
【図８】
2011142013.tif 000010
【図９】
2011142013.tif 000011
【図１０】
2011142013.tif 000012
【図１１】
2011142013.tif 000013
【図１２】
2011142013.tif 000014
【図１３】
2011142013.tif 000015